(57)【要約】【課題】収納される食べ物の温度を維持できる保温の環境保護容器を提供する。【解決手段】基材と被覆層とからなる容器主体があり、当該容器主体に、収納部と、発泡成型により収納部の保温内層に形成される被覆層とが含有される。これにより、当該容器主体の収納部に収納される食べ物に対して、保温の効果が得られる。、【選択図】図２
0003120473.tif 000002
【実用新案登録請求の範囲】
【請求項１】
基材と、基材の外部に設置される被覆層とからなり、収納部がある容器主体と、
当該被覆層が発泡成型した当該容器主体の収納部に位置する保温内層と、が含有されることを特徴とする保温の環境保護容器。
【請求項２】
当該容器主体の外部に、図柄領域が設置されることを特徴とする請求項１に記載の保温の環境保護容器。
【請求項３】
当該容器主体の基材は、防水紙材であることを特徴とする請求項１に記載の保温の環境保護容器。
【請求項４】
当該容器主体の被覆層は、ポリエチレンであることを特徴とする請求項１に記載の保温の環境保護容器。
【請求項５】
当該容器主体の被覆層は、低密度ポリエチレンであることを特徴とする請求項１に記載の保温の環境保護容器。
【請求項６】
当該容器主体の被覆層は、生分解材料であることを特徴とする請求項１に記載の保温の環境保護容器。
【請求項７】
当該被覆層は、ポリ乳酸(PLA)やポリカプロラクトン(PCL)或いは脂肪族等の化学合成生分解原料から選ばれる何れかの一つであることを特徴とする請求項１に記載の保温の環境保護容器。
【請求項８】
当該被覆層は、PHA微生物発酵やPHB微生物発酵等の生分解原料から選ばれる何れかの一つであることを特徴とする請求項１に記載の保温の環境保護容器。
【請求項９】
基材と、基材の外部に設置される被覆層とからなり、収納部がある容器主体と、当該被覆層が発泡成型した保温層と、が含有されることを特徴とする保温の環境保護容器。
【考案の詳細な説明】
【技術分野】
【０００１】
本考案は、保温の環境保護容器に関し、特に、当該容器主体に収納される食べ物に対して、保温の効果が得られるため、収納される食べ物の温度を維持できるものに関する。
【背景技術】
【０００２】
一般の、従来の収納容器４は、例えば、弁当箱やグラス等の食べ物を収納するための容器４であり、本明細書において、弁当箱を例として、図９のように、当該容器４は、収納部４１があり、当該容器４の一側に、当該収納部４１の開口を封止するための蓋体４２が設置され、当該収納部４１に食べ物が収納される場合、蓋体４２により、当該容器４の収納部４１が封止されて、食べ物を、収納することと保存することができる。
【０００３】
従来の容器４は、食べ物を収納できるが、一般に、発泡スチロールや防水紙材等の材質からなるため、実用のものとは言えず、発泡スチロールの材質と言えば、当該発泡スチロールは、ポリスチレンやポリ塩化ビニルとからなるため、当該発泡スチロールの自身が、分解できず、また、燃焼すると、生成したダイオキシンが、人体や環境に、極めて大きい障害を与え、そのため、その使用が法的によって制限され、また、紙である材質による容器４と言えば、前記の発泡スチロール容器４の欠陥が改善されるが、紙材自身の断熱や保温の機能が、比較的に悪いため、紙による容器４で熟食を収納する時、食べ物を容器４に収納した直後、熱くて手で持つことが出来なくなり、また、食べ物を容器４に収納してから、短い時間で、食べ物が冷たくなり、故に、一般の従来の発泡スチロールや防水紙材等の材質からなる容器４は、実用的なものではない。
【考案の開示】
【考案が解決しようとする課題】
【０００４】
本考案の主な目的は、紙材自身の断熱や保温の機能が、比較的に悪いことを改善でき、収納部の保温内層により、当該容器主体の収納部に収納される食べ物に対して、保温の効果が得られ、収納される食べ物の温度を維持できる保温の環境保護容器を提供する。
【課題を解決するための手段】
【０００５】
本考案は、上記の目的を達成するため、基材と被覆層とからなる容器主体があり、当該容器主体に、収納部と、発泡成型により収納部中の保温内層に形成される被覆層とが含有される保温の環境保護容器である。
【考案を実施するための最良の形態】
【０００６】
図１と２は、それぞれ、本考案の第１の実施例の立体外観の概念図と、本考案の第１の実施例の断面状態の概念図である。図のように、本考案は、保温の環境保護容器であり、容器主体１と、保温内層２とからなり、保温内層２により、当該容器主体１に収納される食べ物に対して、保温の効果が得られるため、収納される食べ物の温度を維持できる。
【０００７】
上記の容器主体１は、基材１１と、基材１１の外部に設置される被覆層１２とからなり、当該基材１１は、防水紙材であり、当該被覆層１２は、低密度ポリエチレン(LDPE)であり、また、当該容器主体１に、収納部１３がある。
【０００８】
当該保温内層２は、発泡成型により上記の容器主体１の収納部１３に設置される被覆層１２であり、また、当該保温内層２は、ポリ乳酸(PLA)やポリカプロラクトン(PCL)或いは脂肪族等の化学合成生分解原料から作製され、或いは、PHA微生物発酵やPHB微生物発酵等の生分解原料から作製され、また、発泡成型した後、当該保温内層２の表面に、複数のやや突出したリブ２１を形成する。上記の構成により、新規な保温の環境保護容器が構成される。
【０００９】
図３、４、５は、それぞれ、本考案の第２の実施例の立体外観の概念図、本考案の第３の実施例の立体外観の概念図、本考案の第１の実施例の使用状態の断面概念図である。本考案は、図のように、必要に応じて、当該容器主体１を、一般の弁当箱（上記の図１のよう）やグラス（図３のよう）或いは大型弁当箱（即ち、図４のようなPizza箱）等の食べ物を収納するための容器主体１、１a、１bに作製され、また、各種類の容器主体１、１a、１bの外部には、製品説明や商標図柄を印刷するための図柄領域１４が設置され、
使用する時に当たって、弁当箱である容器主体１を例として、食べ物３を、当該容器主体１の収納部１３に収納し、容器主体１に蓋体１５をカバーして、当該食べ物３を容器主体１の中に封止することにより、保温内層２により、当該容器主体１に収納される食べ物３に対して、保温の効果が得られ、また、本考案に係わる保温内層２は、生分解原料で発泡方式によって成型されるため、軽量や低いコストの利点が得られ、特に、自らで、大自然に分解し(国家標準CNS 14432の規定に符合すること：プラスチック材料が、制御された堆肥条件において、最終的な好気生物分解能及び消和性測定法/二酸化炭素釈放量分析法)、生態環境に悪影響を与える問題点がなく、また、回収して分解させて、堆肥に再利用でき(国家標準CNS
14661の規定に符合すること：堆肥化プラスチック標準)、容器の経済利益が向上される。
【００１０】
図６は、本考案の第４の実施例の断面状態の概念図である。本考案は、図のように、当該容器主体１の収納部１３に保温内層２を設置することだけでなく、当該容器主体１の外部に、更に、当該被覆層１２が発泡成型した保温外層２aが設置されることもでき、これにより、当該容器主体１は、生分解や保温及び断熱の機能が得られ、また、熱い飲み物を収納するためのグラスである容器主体１aと言えば、保温内層２により、収納部１３の温度が保持され、また、ユーザーが熱い飲み物を収納するグラスを取ることによるやけどを防止できる。また、図７と図８は、本考案の第５の実施例の使用状態の概念図と本考案の第６の実施例の使用状態の概念図である。図のように、本考案は、氷品３１や生食べ物３２を収納するための容器主体１c、１dに適用でき、そのため、本考案は、様々に断熱して運輸されることが必要である食べ物に適用できる。本考案は、熱い食べ物を収納する場合、熱い食べ物の熱を外部へ放熱することを防止でき、氷品を収納する場合、外部からの熱を断熱できる。
【００１１】
以上のように、本考案に係わる保温の環境保護容器は、有効的に従来の様々の欠陥を改善でき、収納部の保温内層により、当該容器主体の収納部に収納される食べ物に対して、保温の効果が得られることにより、収納される食べ物の温度が維持される。また、本考案は、より進歩的且つより実用的なものであるため、法に従って、実用新案登録請求を出願する。
【００１２】
以上は、ただ、本考案のより良い実施例であり、本考案は、それによって制限されず、本考案に係わる実用新案登録請求の範囲や明細書の内容に従って、等価の変更や修正は、全てが、本考案に係わる実用新案登録請求の範囲に含まれる。
【図面の簡単な説明】
【００１３】
【図１】本考案の第１の実施例の立体外観の概念図
【図２】本考案の第１の実施例の断面状態の概念図
【図３】本考案の第２の実施例の立体外観の概念図
【図４】本考案の第３の実施例の立体外観の概念図
【図５】本考案の第１の実施例の使用状態の断面概念図
【図６】本考案の第４の実施例の断面状態の概念図
【図７】本考案の第５の実施例の使用状態の概念図
【図８】本考案の第６の実施例の使用状態の概念図
【図９】従来の立体外観の概念図
【符号の説明】
【００１４】
（本考案部分）
１、１a、１b、１c、１d      容器主体
１１                        基材
１２                        被覆層
１３                        収納部
１４                        図柄領域
１５                        蓋体
２                          保温内層
２a                         保温外層
２１                        リブ
３                          食べ物
３１                        氷品
３２                        生食べ物
（従来部分）
４                          容器
４１                        収納部
４２                        蓋体
【図１】
0003120473.tif 000003
【図２】
0003120473.tif 000004
【図３】
0003120473.tif 000005
【図４】
0003120473.tif 000006
【図５】
0003120473.tif 000007
【図６】
0003120473.tif 000008
【図７】
0003120473.tif 000009
【図８】
0003120473.tif 000010
【図９】
0003120473.tif 000011